(57)【特許請求の範囲】
【請求項１】
シュータ上に積載された用紙を順次送り出すピック機構と、
用紙の給紙通路に設けられた用紙ガイドと、
前記ピック機構から送り出された用紙を前記用紙ガイドに沿って画像読み取り位置に給紙するフィードローラと、
用紙を排出する排出ローラとを備えた給紙装置において、
前記用紙ガイドの画像読み取り側に、用紙の読み取り面より柔らかい材料である布をシートを介在させて貼り付けることを特徴とした給紙装置。
【請求項２】
前記貼り付ける柔らかい材料は、前記給紙通路の上流のみとし、下流は前記用紙ガイドに貼り付けないで設けることを特徴とした請求項１記載の給紙装置。
【請求項３】
前記シュータに用紙の読み取り面より柔らかい材料を貼り付けることを特徴とした請求項１記載の給紙装置。
【請求項４】
前記用紙の読み取り面に接触する各ローラをゴムローラとすることを特徴とした請求項１記載の給紙装置。
【発明の詳細な説明】
【０００１】
【発明の属する技術分野】
本発明は、画像読取装置（スキャナ）などにおける給紙時の媒体表面（読み取り面）への傷付きを防止することができる給紙装置に関する。
【０００２】
【従来の技術】
従来、例えば、画像読取装置において、多量の原稿を自動的に搬送して読み取る場合は自動給紙装置（ＡＤＦ）を有している。自動給紙装置は、シュータ上に載置された複数枚の用紙を所定の準備位置まで移動させるピック機構と、準備位置に置かれた用紙を一枚ずつ取り込む分離機構と、用紙を搬送するフィードローラと排出ローラとを有するフィード機構とを備えている。
【０００３】
図７は従来例の説明図である。図７において、画像読取装置の給紙通路の上側の装置を取り外したものである。この下側の給紙通路には、ピックローラ１、従動ローラ２４、読み取り位置１６、用紙ガイド１７、排出ローラ２３が設けてある。また、原稿は、左右のガイド１５が設けられたシュタ１３上に読み取り面を裏側として積載される。
【０００４】
シュタ１３上に積載された原稿は、ピックローラ１で一枚毎フィードローラの従動ローラ２４（ポリアセタール樹脂等の樹脂ローラ）に送られ、この従動ローラ２４から読み取り位置１６を通って排出ローラ２３により排出される。原稿用紙の読み取り面が接触するシュータ１３、用紙ガイド１７、従動ローラ２４は、樹脂や板金で構成されていた。
【０００５】
【発明が解決しようとする課題】
上記のような従来例は、用紙の読み取り面が接触するシュータ、用紙ガイド、ローラは、樹脂や板金で構成されているため、印画紙にプリントした写真等を読み取る場合、写真面に傷が付くことが多々あった。
【０００６】
本発明は、このような従来の課題を解決し、用紙読み取り面が接触する側に、写真面より柔らかく、かつ、ほこりの出にくい材料を貼り付けることで写真面への傷付きを防止することを目的とする。
【０００７】
【課題を解決するための手段】
図４は本発明の下側の給紙通路の説明図である。図４中、１はピックローラ、１３はシュータ、１６は読み取り位置、２３は排出ローラ、２４は従動ローラ、３０は布（用紙の読み取り面より柔らかい材料）である。
【０００８】
本発明は前記従来の課題を解決するため次のように構成した。
【０００９】
（１）：シュータ１３上に積載された用紙を順次送り出すピック機構と、用紙の給紙通路に設けられた用紙ガイドと、前記ピック機構から送り出された用紙を前記用紙ガイドに沿って画像読み取り位置１６に給紙するフィードローラと、用紙を排出する排出ローラ２３とを備えた給紙装置において、前記用紙ガイドの画像読み取り側に、用紙の読み取り面より柔らかい材料である布３０をシートを介在させて貼り付ける。
【００１０】
（２）：前記（１）の給紙装置において、前記貼り付ける柔らかい材料３０は、給紙通路の上流のみとし、下流は前記用紙ガイドに貼り付けないで設ける。
【００１１】
（３）：前記（１）の給紙装置において、前記シュータ１３に用紙の読み取り面より柔らかい材料を貼り付ける。
【００１２】
（４）：前記（１）の給紙装置において、前記用紙の読み取り面に接触する各ローラ２３、２４をゴムローラとする。
【００１４】
（作用）
前記構成に基づく作用を説明する。
【００１５】
ピック機構でシュータ１３上に積載された用紙を順次送り出し、フィードローラで前記ピック機構から送り出された用紙を前記用紙ガイドに沿って画像読み取り位置１６に給紙し、排出ローラ２３で用紙を排出する給紙装置において、前記用紙ガイドの画像読み取り側に、用紙の読み取り面より柔らかい材料３０を貼り付ける。このため、印画紙にプリントした写真等の用紙の読み取り面への傷付きを防止することができる。
【００１６】
また、貼り付ける柔らかい材料３０は、前記給紙通路の上流のみとし、下流は前記用紙ガイドに貼り付けないものとする。このため、用紙の読み取り面より柔らかい材料３０の交換を容易に行うことができる。
【００１７】
さらに、前記シュータ１３に用紙の読み取り面より柔らかい材料を貼り付ける。このため、シュータ１３による用紙の読み取り面への傷付きを防止することができる。
【００１８】
また、用紙の読み取り面に接触する各ローラ２３、２４をゴムローラとする。このため、各ローラ２３、２４による用紙の読み取り面への傷付きを防止することができる。
【００１９】
さらに、用紙の読み取り面より柔らかい材料３０を布とし、該布をシートを介在させて貼り付ける。このため、シートにより伸縮性のある布の寸法安定性を向上することができる。
【００２０】
【発明の実施の形態】
（１）：画像読取装置の概要の説明
図１、図２は各々本発明の実施の形態における画像読取装置の外観図および要部説明図である。図１、図２において、画像読取装置は、上部に読み取り対象の原稿をセットするシュータ１３を、内部に給紙装置を各々備えている。給紙装置は、シュータ１３上に載置された複数枚の用紙（原稿）２１を所定の準備位置まで移動させるピック機構と、準備位置に置かれた用紙を一枚ずつ取り込む分離機構と、用紙を搬送するフィードローラ１１と排出ローラ２３とを有するフィード機構とを備えている。
【００２１】
また、ピックローラ１と排出ローラ２３の間には用紙のガイド１７が設けてある。このガイド１７面及びシュータ１３上に載置された原稿の読み取り面が接する部分に読み取り面より柔らかくかつほこりの出にくい材料、例えば布３０（二点鎖線で示す）等を貼り付けてある。なお、フィードローラ１１と排出ローラ２３との間にある矢印は、画像の読み取り位置１６を示している。
【００２２】
ピック機構は、シュータ１３の用紙供給口付近に形成され、ピックローラ１とピックアーム４とにより、シュータ１３上に積載された複数枚の原稿２１（文字、図形、記号等を担持する用紙等を含む）を下側より順次に取り出して用紙を所定の準備位置まで移動させるものである。
【００２３】
分離機構は、ピックローラ１に摺接する分離パッド３により準備位置に置かれた用紙を一枚毎取り込むものである。
【００２４】
フィード機構は、フィードローラ１１により用紙を読み取り位置１６に供給し、排出ローラ２３により排出するものである。
【００２５】
（２）：用紙搬送の駆動系の説明
図３は本発明の実施の形態における用紙搬送の駆動系を示す要部説明図である。図３において、用紙搬送用のモータ６が、ギア列によってピックローラ１とフィードローラ１１と排出ローラ２３とを駆動して用紙の搬送を行う。なお、ピックローラ１を駆動するピックローラ駆動ギア２０は、ワンウェイクラッチを装着し、反時計方向のみ回転するように形成している。また、従動ローラ２４が、フィードローラ１１と排出ローラ２３に対応してそれぞれ配設されている。
【００２６】
ピックアーム駆動ギア８は、回転支点を持ちピックアーム４を連結している。遊星ギア５が、遊星ギアフレーム２６に回動自在に連結され、ピックアーム駆動ギア８と噛み合うようにしている。また、遊星ギア５は、フィードローラ１１の回転によってギア列を介して駆動するように構成されている。なお、遊星ギアフレームストッパ２７は、遊星ギアフレーム２６の回動範囲を規制するものである。
【００２７】
ピックアーム４の駆動において、ピックアーム４を下方に位置して給紙時位置を保持する時は、モータ６の正転で遊星ギア５がピックアーム駆動ギア８から外れてピックアーム４を下方に位置させる。一方、ピックアーム４を上方に位置して待機時位置で保持する時は、モータ６の逆転で遊星ギア５がピックアーム駆動ギア８と噛み合いピックアーム４を上方に位置させるものである。
【００２８】
ピックアーム状態検出センサ７は、モータ６の逆転で遊星ギア５がピックアーム駆動ギア８と噛み合い、上方に位置したピックアーム４を検出する。これにより、ピックアーム４を上方に位置させる際に、ピックアーム状態検出センサ７がピックアーム４を検出する信号を発信するまでモータ６を逆転してピックアーム４を上方に移動させるようにする。
【００２９】
シュータ上用紙検出センサ１０は、ピックアーム４が下方に位置する状態で原稿２１をシュータ１３にセットしてもＯＦＦのままで、ピックアーム４が上方に位置する状態で原稿２１をシュータ１３にセットした場合にＯＮになる位置関係に実装される。これにより、装置の初期化あるいはリセットでのピックアーム４を上方に位置させる動作において、シュータ上用紙検出センサ１０が用紙有りを検出する信号を発信している状態では、ピックアーム４を上方に位置させる動作を実行しないように構成する。
【００３０】
ピック／フィード間用紙センサ１２は、用紙供給路のピックローラ１とフィードローラ１１との間で用紙の有無を検出する。これにより、ピック／フィード間用紙センサ１２が用紙を検出していない信号を発信している場合、つまり、用紙がピックされない場合は、モータ６の逆転／正転動作を繰り返してピックアーム４の先端を上下運動させて、シュータ１３上に積載した用紙を叩くように構成する。
【００３１】
用紙先端／後端検出センサ２５は、用紙の先端および後端を検出するものである。これにより、用紙の先端が用紙先端／後端検出センサ２５によって検出され、この用紙先端／後端検出センサ２５の信号によって用紙（原稿２１）の読み取りが開始される。そして、用紙先端／後端検出センサ２５が用紙の後端を検出すると読み取りを終了し、排出ローラ２３によって図示しないスタッカ、あるいは装置の外部に用紙が排出される。
【００３２】
さらに、シュータ１３は、用紙供給口付近の高さを一段落として用紙進入方向に対して傾斜した段差１４を形成してある。また、用紙分離パッド３は、ピックローラ１に摺接して原稿２１を一枚宛取り込むものである。
【００３３】
（３）：給紙通路の説明
図４は本発明の実施の形態における下側の給紙通路の説明図である。図４において、画像読取装置の給紙通路の上側の装置を取り外したものである。下側の給紙通路には、ピックローラ１、フィードローラの従動ローラ２４、読み取り位置１６、排出ローラ２３、布３０が設けてある。また、原稿は、左右のガイド１５が設けられたシュタ１３上に読み取り面を裏側として積載される。
【００３４】
シュタ１３上に積載された原稿は、ピックローラ１で一枚毎フィードローラの従動ローラ２４（ゴムローラ）に送られ、従動ローラ２４から読み取り位置１６（ガラス面）を通って排出ローラ２３（ゴムローラ）により排出される。用紙の読み取り面が接触するシュタ１３及び給紙通路の用紙ガイドには、布３０が貼り付けてあり、読み取り原稿面への傷つきを防止している。
【００３５】
なお、布３０は、ピック／フィード間用紙センサ１２と用紙先端／後端検出センサ２５上を除いて貼り付けられている。また、従動ローラ２４、排出ローラ２３の材質は、ウレタンゴム等のゴムローラとして読み取り原稿面への傷つきを防止している。
【００３６】
（４）：布貼りの説明
図５は布貼りの説明図である。写真等の原稿読み取り面がくる通路部の用紙ガイド１７やシュータ部へ布３０を貼り付けするに当たり、布３０だけでは伸縮により寸法安定性に欠けるため、布３０の裏面にポリエステルフィルム等の伸び縮みしないシート材料を貼り付けることで解決するものである。
【００３７】
図５において、布３０を両面テープでポリエステルフィルム３１に接着したものである。このポリエステルフィルム３１を貼った布３０を更に両面テープ等で原稿読み取り面がくる通路部の用紙ガイド１７やシュータ部へ貼りつける。
【００３８】
なお、図５では形抜きした布３０とポリエステルフィルム３１を接着しているが、実際は先に広い布３０とポリエステルフィルム３１を接着し、その後形抜きを行うものである。また、布３０は、不織布で例えば鐘紡株式会社製のザヴィーナミニマックスを使用することができ、伸び縮みしないシート材料としてＡＢＳ、ポリスチレンを使用することもできる。
【００３９】
（５）：布の交換の説明
貼り付けた布は、消耗部品として交換が必要な場合があり、交換を容易にする必要がある。このため、用紙通路の上流側の用紙ガイドのみに布を貼り付け、下流は接着しない状態にすることもできる。布の交換時は、この接着しない部分を持ってはがすことにより布の交換が容易となる。
【００４０】
図６は交換が容易な布貼りの説明図である。図６において、図６（ａ）は布を貼る前のピック部の説明であり、ピック部の用紙ガイド１７の中央付近にピックローラ１が示されている。
【００４１】
図６（ｂ）は布を貼ったピック部の説明であり、ピック部の用紙ガイド１７にのみ両面接着材等で布３０を貼り、下流側（フィードローラ側）は接着しないものである。
【００４２】
なお、前記実施の形態では、用紙の読み取り面より柔らかく、かつ、ほこりの出にくい材料として、不織布の説明をしたが、起毛材等の他の材料を用いることもできる。
【００４３】
【発明の効果】
以上説明したように、本発明によれば、次のような効果がある。
【００４４】
（１）：用紙ガイドの画像読み取り側に、用紙の読み取り面より柔らかい材料を貼り付けるため、写真等の用紙の読み取り面への傷付きを防止することができる。
【００４５】
（２）：貼り付ける柔らかい材料は、給紙通路の上流のみとし、下流は用紙ガイドに貼り付けないものとするため、用紙の読み取り面より柔らかい材料の交換を容易に行うことができる。
【００４６】
（３）：シュータに用紙の読み取り面より柔らかい材料を貼り付けるため、シュータによる用紙の読み取り面への傷付きを防止することができる。
【００４７】
（４）：用紙の読み取り面に接触する各ローラをゴムローラとするため、各ローラによる用紙の読み取り面への傷付きを防止することができる。
【００４８】
（５）：用紙の読み取り面より柔らかい材料を布とし、該布をシートを介在させて貼り付けるため、シートにより伸縮性のある布の寸法安定性を向上することができる。
【図面の簡単な説明】
【図１】実施の形態における画像読取装置の外観図である。
【図２】実施の形態における画像読取装置の要部説明図である。
【図３】実施の形態における用紙搬送の駆動系を示す要部説明図である。
【図４】実施の形態における下側の給紙通路の説明図である。
【図５】実施の形態における布貼りの説明図である。
【図６】実施の形態における交換が容易な布貼りの説明図である。
【図７】従来例の説明図である。
【符号の説明】
１  ピックローラ
１３  シュータ
１６  読み取り位置
２３  排出ローラ
２４  従動ローラ
３０  布（用紙の読み取り面より柔らかい材料）
【図１】
0003793010.tif 000002
【図２】
0003793010.tif 000003
【図３】
0003793010.tif 000004
【図４】
0003793010.tif 000005
【図５】
0003793010.tif 000006
【図６】
0003793010.tif 000007
【図７】
0003793010.tif 000008